(57)【要約】      （修正有）【課題】災害時トイレの処理袋に工夫をすることで、臭いや雑菌の繁殖の発生を抑制できる処理袋を提供する。【解決手段】光触媒を含有する透明な外袋２１と、外袋２１における内部空間へ位置させて屎尿を入れる袋体であって光触媒を含有しない不透明な内袋２５と、屎尿を入れた内袋２５の開口を閉じる内袋閉塞体２６と、内袋閉塞体２６にて開口を閉じた内袋２５を内部空間へ位置させた状態で外袋２１の開口を閉じる外袋閉塞体２２と、を備える。【選択図】図１
0003219512.tif 000002
【実用新案登録請求の範囲】
【請求項１】
光触媒を有する透明な外袋と、
前記の外袋に内包される内包空間へ位置させて屎尿を入れる不透明な内袋と、
屎尿を入れた前記の内袋の開口を閉じる内袋閉塞体と、
前記の内袋閉塞体にて開口を閉じた内袋を前記の内包空間へ位置させた状態で前記の外袋の開口を閉じる外袋閉塞体と、
を備えた処理袋。
【請求項２】
前記の外袋は、その内側の面の一部または全部に光触媒を有することとした
請求項１に記載の処理袋。
【請求項３】
前記の内袋は、その外側の面の一部または全部に光触媒を有することとした
請求項１または請求項２のいずれかに記載の処理袋。
【請求項４】
前記の外袋閉塞体にて開口を閉じた前記の外袋を収納する保管容器を備え、
前記の保管容器は、透明とした
請求項１から請求項３のいずれかに記載の処理袋。
【考案の詳細な説明】
【技術分野】
【０００１】
本考案は、災害時において水道や電気が使えない、または便器そのものが使えないといった際や、トイレがない場所（乗用車内やアウトドア）において用いる災害時トイレに関する。
【背景技術】
【０００２】
自然災害が発生した場合に水道や電気が止まると、水洗トイレは使えない。その状況は、避難所においても同じである。そうした状況下で使用する災害時トイレは、糞尿を通さない内袋と、その内袋を覆う外袋とを、便器（非常用に組み立てられたものを含む）へ設置して使うのが一般的である。
【０００３】
災害時トイレについて、図１を用いて説明する。図１では、一般の便器ではなく、非常時に組み立てた箱状の便器１０を示している。この便器１０は、上面を開口した箱状の本体１１と、その本体１１における開口した縁においてトイレ使用者の太もも裏を支える便座部１２と、を備える。そして、その便座部１２の内側下方に内部空間１３を形成している。
【０００４】
トイレ使用者は、前記の便座部１２の外周よりも大きな開口を備えた外袋２０と、その外袋２０の内側に位置させる不透明の内袋３０とからなる処理袋を、前記の内部空間１３に対してセットする。具体的には、外袋２０の開口縁を前記の便座部１２へかぶせ、外袋２０の底部を前記の内部空間１３へ納める。前記の内袋３０は外袋２０の内側において、内部空間１３に収まる。
【０００５】
トイレ使用者は、外袋２０がかぶせられた便座部１２へ座り、内袋３０の内部へ用を足す。用を足したら、内袋３０の開口を紐で縛って閉じる。続いて、外袋２０を便座部１２から外し、外袋２０の開口もまた、紐で縛って閉じる。二重に閉じた処理袋は、所定の保管場所へ移動させる。
【０００６】
以上のような災害時トイレについて、本願考案者が先行技術を調査したところ、いくつかの関連技術が発見された。
【０００７】
特許文献１には、トイレ構成体、および簡易トイレが開示されている。
特許文献１に開示された技術は、特に、隣り合うパーツに対して連結具を備えることで分解組立を容易にする、という工夫をしている。
【０００８】
特許文献２には、組み立て式アーチ型簡易トイレが開示されている。この簡易トイレは、備蓄しておく場合には、板状の部材として大量に保管することができ、また、使用に際しては、簡単に組み立てることができ、使い心地がよく、汚物は衛生的に、且つ、簡単に始末ができる。
【０００９】
特許文献３には、携帯トイレセットが開示されている。この携帯トイレセットは、排泄物処理袋において畳んでも厚さが薄くて嵩張らず、排泄物を凝固する凝固剤や、殺菌水もセットにし、極めて小さくなる。
【００１０】
特許文献４には、排泄時の反射音の発生を解消して使用者が気恥ずかしい思いをすることなく、更に、取扱いの容易な屎尿袋が開示されている。
【先行技術文献】
【特許文献】
【００１１】
【特許文献１】特開２００５−４６３３９号公報
【特許文献２】特開平１０−１９２１８９号公報
【特許文献３】特開２０１７−２０５４４９号公報
【特許文献４】特許第４４４６３５７号公報
【考案の概要】
【考案が解決しようとする課題】
【００１２】
災害時トイレは、処理袋を所定の場所へ一時保管し、ゴミとして処理することが一般的である。たとえば、避難所にて使われる災害時トイレでは、処理袋の保管用の蓋付き大型容器を屋外へ準備し、その蓋付き大型容器へ処理袋を入れるようにする、といった使い方が典型的である。
【００１３】
水道や電気が止まった戸建て住宅やマンションで災害時トイレを使用した場合、ベランダや共用スペースへ蓋付き大型容器を設置するといった使い方が典型的である。
【００１４】
いずれの場合も、ゴミ収集などの行政サービスが復旧するまでが「一時保管」となり、その期間が短くない場合も発生する。そうした場合、処理袋から臭いが漏れる、という問題が起きる。また、雑菌の繁殖が起きてしまうとすれば、不衛生でもある。
【００１５】
本願考案の目的は、災害時などに用いるトイレの処理袋に工夫をすることで、臭いや雑菌の繁殖の発生を抑制できる技術を提供することにある。
【課題を解決するための手段】
【００１６】
（第一の考案）
本願における第一の考案は、光触媒（２３）を有する透明な外袋（２１）と、
前記の外袋（２１）に内包される内包空間へ位置させて屎尿を入れる不透明な内袋（２５）と、
屎尿を入れた前記の内袋（２５）の開口を閉じる内袋閉塞体（２６）と、
前記の内袋閉塞体（２６）にて開口を閉じた内袋（２５）を前記の内包空間へ位置させた状態で前記の外袋（２１）の開口を閉じる外袋閉塞体（２２）と、
を備えた処理袋（２０）に係る（図２，４，５，６参照）。
【００１７】
（用語説明）
「光触媒」とは、酸化チタンを主とした触媒であって、光（紫外線）が当たると有機物を分解したり殺菌したりする。たとえば、鉄イオンをドープした酸化チタンの表面の一部をアパタイトで被覆したものは、可視光でも触媒作用があるので、好ましく用いられる。
【００１８】
「外袋（２１）」について、「透明」としているのは、紫外線を透過し、光触媒が反応できるようにするためである。無色透明のほか、有色透明でもよい。素材としては、たとえば、ポリエチレンである。鉄イオンをドープした酸化チタンの表面の一部をアパタイトで被覆した光触媒を採用した場合には、可視光が透過すればよい。
【００１９】
「外袋（２１）」について、「光触媒（２３）を有する」としているのは、外袋（２１）の素材の中に含まれる場合（図３参照）のほか、外袋（２１）に塗布されるような場合（図４，６参照）も含む趣旨である。
【００２０】
外袋閉塞体（２２）および内袋閉塞体（２６）が備える「閉塞体（２２，２６）」は、両面テープ、輪ゴム、簡易ファスナ構造などのほか、袋体（２１，２５）の上部周囲を周回して袋体を巾着袋のようにする紐などがある。
【００２１】
（作用）
外袋（２１）の開口を開放し、外袋（２１）の内側空間へ位置させた内袋（２５）の開口も開放する。そして、内袋（２５）の内部へ屎尿を入れる（排泄する）。それが終わったら、内袋閉塞体（２６）にて内袋（２５）の開口を閉じる。内袋（２５）は不透明なので、不快感の抑制に寄与する。
【００２２】
続いて、外袋（２１）の開口を外袋閉塞体（２２）にて閉じる。内袋（２５）から漏れてくる有機物などを原因として、微生物やウィルスが発生する場合がある。しかし、外袋（２１）には光触媒（２３）を有しており、外袋（２１）が透明であるため、紫外線を通す。よって、紫外線を浴びた光触媒（２３）が有機物を分解して臭いの発生を抑制したり、微生物を殺菌したりすることができる。光触媒（２３）として、鉄イオンをドープした酸化チタンの表面の一部をアパタイトで被覆したものを採用した場合には、紫外線のみならず、可視光であれば有機物を分解したり、細菌やウィルスを殺菌したりする機能を発揮する。
【００２３】
本願考案に係る処理袋（２０）は、屎尿のほか、吐瀉物、介護に伴う汚物、ペットの糞尿などの汚物を入れるのに用いることも、当然可能である。生ゴミなどのゴミ袋に採用することもできる。食肉などの食品を一時的に入れておく袋としても有効である。臭いの発生を抑制できるからである。
【００２４】
（バリエーション１）
第一の考案に係る処理袋（２０）は、前記の外袋（２１）について、その内側の面の一部または全部に光触媒（２３）を有することとしてもよい。（図４，６参照）。
【００２５】
（バリエーション２）
第一の考案に係る処理袋における前記の内袋（２５）は、その外側の面の一部または全部に光触媒（２３）を有することとしてもよい。
【００２６】
（バリエーション３）
第一の考案は、以下のように形成してもよい。
すなわち、前記の外袋閉塞体（２２）にて開口を閉じた前記の外袋（２１）を収納する保管容器（３０）を備え、その保管容器（３０）は、透明とするのである（図２参照）。
保管容器（３０）には、容器蓋（３２）を備え、複数の外袋（２１）を収納可能であることが望ましい。
【００２７】
（作用）
外袋閉塞体（２２）にて開口を閉じた前記の外袋（２１）を保管容器（３０）が収納する。保管容器（３０）は透明なので、外袋（２１）が有する光触媒（２３）の反応を妨げない。
【考案の効果】
【００２８】
第一の考案によれば、災害時などに用いるトイレに関して、臭いの発生や雑菌繁殖の抑制に寄与する処理袋を提供することができる。
【図面の簡単な説明】
【００２９】
【図１】第一の実施形態に係る処理袋の使用手順を示す斜視図である。
【図２】第一の実施形態に係る処理袋の使用後の保管手順を示す斜視図である。
【図３】外袋の構造を示す断面図（ａ）、および部分拡大図（ｂ）である。
【図４】第二の実施形態を示す断面図である。
【図５】第三の実施形態を示す断面図である。
【図６】第四の実施形態を示す断面図である。
【考案を実施するための形態】
【００３０】
（図１）
図１では災害が発生し、水道や電気が止まった際に用いられる非常用トイレの使用手順を示している。この非常用トイレは、非常用として組み立てられた便器１０と、その便器１０に対して使い捨てとして用いる処理袋２０と、からなる。
【００３１】
前記の便器１０は、上面を開口した箱状の本体１１と、その本体１１の開口した上縁を覆う枠状の便座１２とからなる。便座１２の内側下方に位置することとなる本体１１の内部空間１３に、前記の処理袋２０をセットすることとなる（図１（ａ））。
【００３２】
前記の処理袋２０は、透明な外袋２１と、その外袋２１に内包される内包空間へ位置させて屎尿を入れる不透明な内袋２５と、屎尿を入れた後に内袋（２５）の開口を閉じる内袋閉塞体２６と、前記の外袋２１の開口を閉じる外袋閉塞体２２と、を備えている（図１（ｃ））。内袋閉塞体２６や外袋閉塞体２２は、紐状として図示しているが、両面テープなどでもよい。
【００３３】
外袋２１および内袋２６の開口を広げて便器１０の便座１２を覆い、外袋２１および内袋２６の底側を内部空間１３へ押し込む（図１（ｂ））。その状態で、トイレとして使用し、屎尿または汚物を内袋２５へ入れたら、内袋２５の開口を内袋閉塞体２６にて閉じ、続いて外袋２１の開口を外袋閉塞体２２にて閉じる（図１（ｃ））。
【００３４】
（図３）
図３は、外袋２１の構造を示している。外袋２１は、透明なポリエチレン２４に光触媒２３を含有させている（図３（ａ））。
【００３５】
図３（ｂ）では、光触媒２３を拡大してモデル化し、図示している。この実施形態で用いる光触媒２３は、鉄イオンをドープさせた酸化チタン２３Ａと、その酸化チタン２３Ａの外表面を部分的に（全面的ではなく）覆うアパタイト２３Ｂとからなる。アパタイト２３Ｂは、吸着力に優れており、紫外線の照射の有無にかかわらず、ウィルスを捕捉して動けなくする効果が期待される。また、ポリエチレン２４と酸化チタン２３Ａとが直接接触することを避け、光触媒としての機能を発揮させる役割も果たしている。換言すれば、外袋２１の製造時に光触媒２３を含有させることができるので、外袋２１の内側などへ光触媒２３を塗布する製造工程を経なくても、光触媒２３を有する状態とすることができる。
【００３６】
前述した使用後の内袋２５からは、内袋閉塞体２６では漏れることを防げない有機物や微生物が外袋２１の内側へ出てくる。そして、漏れた有機物などを原因として、微生物やウィルスが発生する。しかし、外袋２１には光触媒２３が含有されている。そして、外袋（２１）が透明であるため、紫外線も可視光も通す。よって、紫外線や可視光を浴びた光触媒２３が有機物を分解して臭いの発生を抑制したり、微生物やウィルスを殺菌したりすることができる。
【００３７】
（図２）
図２には、図１（ｃ）で示した使用後の処理袋２０を多数収納できる保管容器３０にて保管する手順を示している。
【００３８】
保管容器３０は、上面を開口した箱状の容器本体３１と、その容器本体３１の開口を簡易ファスナ（図示を省略）にて閉じることができる可撓性のある容器蓋３２とからなる。容器蓋３２を開けて容器本体３１の開口から使用後の処理袋２０を容器本体３１の内部に入れる（図２（ａ））。そして、容器蓋３２にて開口を閉じる。閉じる前に、脱臭のための粉末（活性炭などの粉末）が入った脱臭粉末袋４０から脱臭粉末を容器本体３１の内部へ投入する（図２（ｂ））。
【００３９】
容器本体３１および容器蓋３２とも、透明な素材であるので、外袋２１に含有されている光触媒２３の働きを妨げない（図２（ｃ））。そのため、ゴミ収集などの行政サービスが復旧するまでの「一時保管」が長引いても、脱臭粉末の作用と相まって臭いの発生を抑制することが期待できる。
【００４０】
（図４）
図４を用いて、第二の実施形態について説明する。第二の実施形態では、外袋２１の内側面へ光触媒２３を塗布している。内側面の全体へ塗布してもよいが、外袋２１の開口側は、外袋閉塞体２２によって閉じる際に皺になるなどして剥がれやすいため、この実施形態においては開口側付近には塗布していない。
【００４１】
第二の実施形態においても、使用後の内袋２５から漏れた有機物などを光触媒２３が分解して臭いの発生を抑制したり、微生物を殺菌したりする効果が認められた。
【００４２】
なお、第二の実施形態における外袋２１は、図３に示したように光触媒２３を含有したポリエチレン２４としてもよいし、ポリエチレンのみで形成した外袋としてもよい。後述する第三および第四の実施形態においても、同様である。
【００４３】
（図５）
図５を用いて、第三の実施形態について説明する。第三の実施形態では、内袋２５の外側面へ光触媒２３を塗布している。第三の実施形態においても、使用後の内袋２５から漏れた有機物などを光触媒２３が分解して臭いの発生を抑制したり、微生物を殺菌したりする効果が認められた。
【００４４】
（図６）
図６を用いて、第四の実施形態について説明する。第四の実施形態では、外袋２１の内側面および内袋２５の外側面へ光触媒２３を塗布している。第四の実施形態においても、使用後の内袋２５から漏れた有機物などを光触媒２３が分解して臭いの発生を抑制したり、微生物を殺菌したりする効果が認められた。
【産業上の利用可能性】
【００４５】
本考案は、防災用品、身体障害者用グッズ、または自動車用グッズの製造業、もしくは防災用品のレンタル業などにおいて、利用可能性を有する。
【符号の説明】
【００４６】
１０  ；便器
１１  ；本体                      １２  ；便座
１３  ；内部空間
２０  ；処理袋
２１  ；外袋                      ２２  ；外袋閉塞体
２３  ；光触媒                    ２３Ａ；酸化チタン
２３Ｂ；アパタイト
２４  ；ポリエチレン
２５  ；内袋                      ２６  ；内袋閉塞体
３０  ；保管容器                  ３１  ；容器本体
３２  ；容器蓋
４０  ；脱臭粉末袋
【図１】
0003219512.tif 000003
【図２】
0003219512.tif 000004
【図３】
0003219512.tif 000005
【図４】
0003219512.tif 000006
【図５】
0003219512.tif 000007
【図６】
0003219512.tif 000008